(57)【要約】      （修正有）【課題】雨水の侵入を防止し、かつ風量を調整することができる通風装置を提供する。【解決手段】通風装置１は、前後方向に離れかつ左右方向において交互に配置される外ルーバー３、内ルーバー４と、調整機構５とを備える。外ルーバー３は、前側に形成された連結部３２と、連結部３２の左側において後側に傾斜した左外羽板３１１と、連結部３２の右側において後側に傾斜した右外羽板３１２とを有する。内ルーバー４は、後側に形成された連結部４２と、連結部４２の左側において前側に傾斜した左内羽板４１１と、連結部４２の右側において前側に傾斜した右内羽板４１２とを有する。調整機構５は、左右方向における左外羽板３１１の先端と右外羽板３１２の先端との距離を変化させるように、左外羽板３１１および右外羽板３１２の第１傾斜角度θ１を調整する。【選択図】図１
2016156180.tif 000002
【特許請求の範囲】
【請求項１】
第１方向において互いに離れて配置され、かつ前記第１方向と交差する第２方向において交互に配置される第１ルーバーと第２ルーバーとを備え、
前記第１ルーバーは、前記第１方向の一方側に形成された第１頂部と、前記第１頂部に対して前記第２方向の一方側において前記第１方向の他方側に傾斜した第１羽片と、前記第１頂部に対して前記第２方向の他方側において前記第１方向の他方側に傾斜した第２羽片とを有し、
前記第２ルーバーは、前記第１方向の他方側に形成された第２頂部と、前記第２頂部に対して前記第２方向の一方側において前記第１方向の一方側に傾斜した第３羽片と、前記第２頂部に対して前記第２方向の他方側において前記第１方向の一方側に傾斜した第４羽片とを有し、
前記第１羽片および前記第２羽片の傾斜角度を調整する調整機構をさらに備える
ことを特徴とする通風装置。
【請求項２】
前記調整機構は、さらに前記第３羽片および前記第４羽片の傾斜角度を調整する
ことを特徴とする請求項１記載の通風装置。
【請求項３】
前記第１羽片および前記第２羽片の傾斜角度が特定範囲内である場合、
前記第２ルーバーの前記第３羽片の先端と、前記第２ルーバーに対して前記第２方向の他方側に隣り合う前記第１ルーバーの前記第１頂部とを結ぶ直線上に、前記第２ルーバーに対して前記第２方向の一方側に隣り合う前記第１ルーバーの前記第２羽片が存在し、
かつ前記第２ルーバーの前記第４羽片の先端と、前記第２ルーバーに対して前記第２方向の一方側に隣り合う前記第１ルーバーの前記第１頂部とを結ぶ直線上に、前記第２ルーバーに対して前記第２方向の他方側に隣り合う前記第１ルーバーの前記第１羽片が存在する
ことを特徴とする請求項１または２記載の通風装置。
【請求項４】
前記調整機構を駆動する駆動部を備える
ことを特徴とする請求項１〜３のうちいずれか１項に記載の通風装置。
【発明の詳細な説明】
【技術分野】
【０００１】
本発明は、一般に通風装置、より詳細には通風経路を形成する通風装置に関する。
【背景技術】
【０００２】
従来、通風状態で雨水の浸入を防止する構成が提案されている（例えば、特許文献１参照）。特許文献１の構成は、屋外側を凸とする断面Ｖ字状のルーバーと、屋内側を凸とする断面Ｖ字状のルーバーとが隙間を形成して交互に配置されることで構成されている。
【先行技術文献】
【特許文献】
【０００３】
【特許文献１】特開２００５−３０８９７６号公報
【発明の概要】
【発明が解決しようとする課題】
【０００４】
しかし、特許文献１の構成は、各ルーバーの角度が固定されているため、通風量を調整することができなかった。
【０００５】
本発明は、上記事由に鑑みてなされており、その目的は、雨水の浸入を防止し、かつ通風量を調整することができる通風装置を提供することにある。
【課題を解決するための手段】
【０００６】
本発明の通風装置は、第１方向において互いに離れて配置され、かつ前記第１方向と交差する第２方向において交互に配置される第１ルーバーと第２ルーバーとを備え、前記第１ルーバーは、前記第１方向の一方側に形成された第１頂部と、前記第１頂部に対して前記第２方向の一方側において前記第１方向の他方側に傾斜した第１羽片と、前記第１頂部に対して前記第２方向の他方側において前記第１方向の他方側に傾斜した第２羽片とを有し、前記第２ルーバーは、前記第１方向の他方側に形成された第２頂部と、前記第２頂部に対して前記第２方向の一方側において前記第１方向の一方側に傾斜した第３羽片と、前記第２頂部に対して前記第２方向の他方側において前記第１方向の一方側に傾斜した第４羽片とを有し、前記第１羽片および前記第２羽片の傾斜角度を調整する調整機構をさらに備えることを特徴とする。
【発明の効果】
【０００７】
本発明では、雨水の浸入を防止し、かつ通風量を調整することができるという効果がある。
【図面の簡単な説明】
【０００８】
【図１】図１Ａは、実施形態における通風装置の通気防水モード時の正面図である。図１Ｂは、図１ＡのＡ１−Ａ１断面図である。図１Ｃは、図１ＡのＢ１−Ｂ１断面図である。
【図２】図２Ａは、実施形態における通風装置の閉モード時の正面図である。図２Ｂは、図２ＡのＡ２−Ａ２断面図である。図２Ｃは、図２ＡのＢ２−Ｂ２断面図である。
【図３】図３Ａは、実施形態における通風装置の閉モード時の正面図である。図３Ｂは、図３ＡのＡ３−Ａ３断面図である。図３Ｃは、図３ＡのＢ３−Ｂ３断面図である。
【図４】実施形態における通風装置の概略構成を示す斜視図である。
【図５】実施形態における調整機構、駆動部の概略構成図である。
【図６】実施形態における通風装置のオーバーラップ状態を示す断面図である。
【図７】図７Ａは、外ルーバーの変形例を示す上面図である。図７Ｂは、内ルーバーの変形例を示す上面図である。
【発明を実施するための形態】
【０００９】
以下、本発明の実施の形態を図面に基づいて説明する。
（実施形態）
本実施形態は、図４に示すように屋内と屋外とを区切る建物の壁８０に形成された矩形状の開口８に設けられ、屋外から屋内に進入する空気の量（通風量）を調整することができる通風装置１である。本実施形態の通風装置１は、フレーム２と、屋外側に位置する複数の外ルーバー３と、屋内側に位置する内ルーバー４および端ルーバー４ａ，４ｂと、開度を調整する調整機構５と、調整機構５を駆動する駆動部６とを備える。本実施形態の通風装置１は、外ルーバー３、内ルーバー４、および端ルーバー４ａ，４ｂが変形可能に構成されている。そして、外ルーバー３、内ルーバー４、および端ルーバー４ａ，４ｂの形状に応じた３つの動作モード（閉モード、開モード、通気防水モード）を用いて通風量を調整する。閉モード（図２Ａ〜図２Ｃ参照）では、開口８を閉塞して通気を遮断し、開モード（図３Ａ〜図３Ｃ参照）では、開口８を全開し、通気防水モード（図１Ａ〜図１Ｃ参照）では、開口８の一部を開放して雨水の浸入を防止する。なお、図１Ａ、図２Ａ、図３Ａは、通風装置１の正面図である。また、図１Ｂは、図１ＡのＡ１−Ａ１断面図、図１Ｃは、図１ＡのＢ１−Ｂ１断面図である。図２Ｂは、図２ＡのＡ２−Ａ２断面図、図２Ｃは、図２ＡのＢ２−Ｂ２断面図である。図３Ｂは、図３ＡのＡ３−Ａ３断面図、図３Ｃは、図３ＡのＢ２−Ｂ２断面図である。
【００１０】
以下に、本実施形態の通風装置１の構成について、図１Ａ〜図１Ｃに示す通気防水モード時の形態を用いて説明する。なお、本実施形態の説明で用いる方向は、図１Ａにおける上下左右方向を上下左右方向、図１Ｃにおける左右方向を前後方向と規定する。また、本実施形態では、通風装置１の前側が屋外であり、後側が屋内であるとする。
【００１１】
フレーム２は、上枠２１、下枠２２、左枠２３、右枠２４が組み合わさることで構成された矩形状の枠体であり、開口８に嵌め込まれ、外ルーバー３、内ルーバー４、端ルーバー４ａ，４ｂ、調整機構５、駆動部６を保持する（図４参照）。
【００１２】
外ルーバー３（第１ルーバー）は、一対の外羽板３１と、丸棒状に形成された軸３２３とを備える。
【００１３】
外羽板３１は、上下方向を長手方向とする矩形板状に形成されており、フレーム２の上枠２１から下枠２２にわたって設けられている。なお、一対の外羽板３１を区別する場合、左側の外羽板３１を左外羽板３１１（第１羽片）、右側の外羽板３１を右外羽板３１２（第２羽片）という。左外羽板３１１は、右端に沿って上下方向の中央部に設けられた軸筒３２１を備えており、軸筒３２１は、上下方向に貫通した挿通孔が形成されている。また、右外羽板３１２は、左端に沿って上下方向の上側および下側に設けられた一対の軸筒３２２を備えており、軸筒３２２は、上下方向に貫通した挿通孔が形成されている。
【００１４】
軸筒３２１，３２２および軸３２３で一対の外羽板３１を連結する連結部３２（第１頂部）を構成している。一対の軸筒３２２間に軸筒３２１が配置され、各軸筒３２１，３２２の挿通孔が上下方向に連通した状態で、軸３２３が軸筒３２１，３２２の挿通孔に挿通される。上記構成により、連結部３２は、一対の外羽板３１を連結し、一対の外羽板３１それぞれは軸３２３を回転軸として回転自在に構成される。なお、外羽板３１の短手方向の両端のうち、連結部３２側の端部を基端、連結部３２と反対側の端部を先端という。図１Ａ〜図１Ｃに示す通気防水モード時において、外羽板３１は、屋外側が基端、屋内側が先端となるように上下左右平面に対して傾斜しており、外ルーバー３は、屋外側に位置する連結部３２を頂部とする断面Ｖ字状の形状となる。なお、以下の説明では、上下左右平面に対する外羽板３１の角度を、第１傾斜角度θ１という。
【００１５】
本実施形態の通風装置１は、上述した外ルーバー３を２つ備えており、２つの外ルーバー３が左右方向に並べて設けられている。なお、２つの外ルーバー３を区別して説明する場合、左側を外ルーバー３Ａ、右側を外ルーバー３Ｂという。
【００１６】
次に、内ルーバー４（第２ルーバー）の構成について説明する。内ルーバー４は、外ルーバー３と同様の構成であり、一対の内羽板４１と、丸棒状に形成された軸４２３とを備える。内ルーバー４は、外ルーバー３よりも屋内側（後側）、かつ左右方向における外ルーバー３Ａと外ルーバー３Ｂとの間に設けられる。
【００１７】
内羽板４１は、上下方向を長手方向とする矩形板状に形成されており、フレーム２の上枠２１から下枠２２にわたって設けられている。なお、一対の内羽板４１を区別する場合、左側の内羽板４１を左内羽板４１１（第３羽片）、右側の内羽板４１を右内羽板４１２（第４羽片）という。左内羽板４１１は、右端に沿って上下方向の中央部に設けられた軸筒４２１を備えており、軸筒４２１は、上下方向に貫通した挿通孔が形成されている。また、右内羽板４１２は、左端に沿って上下方向の上側および下側に設けられた一対の軸筒４２２を備えており、軸筒４２２は、上下方向に貫通した挿通孔が形成されている。
【００１８】
軸筒４２１，４２２および軸４２３で一対の内羽板４１を連結する連結部４２（第２頂部）を構成している。一対の軸筒４２２間に軸筒４２１が配置され、各軸筒４２１，４２２の挿通孔が上下方向に連通した状態で、軸４２３が軸筒４２１，４２２の挿通孔に挿通される。上記構成により、連結部４２は、一対の内羽板４１を連結し、一対の内羽板４１それぞれは軸４２３を回転軸として回転自在に構成される。なお、内羽板４１の短手方向の両端のうち、連結部４２側の端部を基端、連結部４２と反対側の端部を先端という。
【００１９】
図１Ａ〜図１Ｃに示す通気防水モード時において、内羽板４１は、屋内側が基端、屋外側が先端となるように上下左右平面に対して傾斜しており、内ルーバー４は、屋内側に位置する連結部４２を頂部とする断面Ｖ字状の形状となる。なお、以下の説明では、上下左右平面に対する内羽板４１の角度を、第２傾斜角度θ２という。
【００２０】
端ルーバー４ａ，４ｂは、内ルーバー４が有する左内羽板４１１と右内羽板４１２とのうち一方と、軸４２３を備える構成であり、端ルーバー４ａは、内ルーバー４の左側に配置され、端ルーバー４ｂは、内ルーバー４の右側に配置される。
【００２１】
端ルーバー４ａは、右内羽板４１２と、軸４２３と、丸筒状に形成された軸筒４２１ａとを備える。右内羽板４１２は、一対の軸筒４２２がフレーム２の左枠２３の内周面に沿うように配置される。軸筒４２１ａは、上下方向に貫通した挿通孔が形成されている。軸筒４２１ａ，４２２および軸４２３で連結部４２ａを構成しており、一対の軸筒４２２間に軸筒４２１ａが配置され、各軸筒４２１ａ，４２２の挿通孔が上下方向に連通した状態で、軸４２３が軸筒４２１ａ，４２２の挿通孔に挿通される。上記構成により、端ルーバー４ａの右内羽板４１２は、軸４２３を回転軸として回転自在に構成される。
【００２２】
また、端ルーバー４ｂは、左内羽板４１１と、軸４２３と、丸筒状に形成された一対の軸筒４２２ａとを備える。左内羽板４１１は、軸筒４２１がフレーム２の右枠２４の内周面に沿うように配置される。一対の軸筒４２２ａは、上下方向に貫通した挿通孔が形成されている。軸筒４２１，４２２ａおよび軸４２３で連結部４２ｂを構成しており、一対の軸筒４２２ａ間に軸筒４２１が配置され、各軸筒４２１，４２２ａの挿通孔が上下方向に連通した状態で、軸４２３が軸筒４２１，４２２ａの挿通孔に挿通される。上記構成により、端ルーバー４ｂの左内羽板４１１は、軸４２３を回転軸として回転自在に構成される。
【００２３】
このように、上述した外ルーバー３、内ルーバー４、端ルーバー４ａ，４ｂは、フレーム２内において、左から端ルーバー４ａ、外ルーバー３Ａ、内ルーバー４、外ルーバー３Ｂ、端ルーバー４ｂの順に千鳥状（ジグザグ状）に配置されている。
【００２４】
次に、第１傾斜角度θ１および第２傾斜角度θ２を調整する調整機構５、および調整機構５を駆動する駆動部６の構成について図５を用いて説明する。なお、図５は、通風装置１の一部のみを抜き出した上面図であり、図５における上下方向が前後方向となる。調整機構５は、外ルーバー３を変形させる第１調整部５１、内ルーバー４および端ルーバー４ａ，４ｂを変形させる第２調整部５２を備える。
【００２５】
第１調整部５１は、第１連結バー５１１と、第１レール５１２と、第１ネジ５１３と、一対の第１ストッパー５１４とを備える。
【００２６】
第１連結バー５１１は、左右方向を長手方向とする棒状に形成されており、フレーム２の上枠２１の内周面に沿って設けられている。そして、第１連結バー５１１には、各外ルーバー３が有する連結部３２の軸３２３の上端が固定される。
【００２７】
第１レール５１２は、フレーム２の上枠２１の内周面に沿って左枠２３から右枠２４にわたって設けられている。そして、各外ルーバー３が有する一対の外羽板３１における上端面の先端部が、ランナー等を用いて第１レール５１２に保持されている。したがって、外羽板３１の先端部は、第１レール５１２に沿って左右方向に移動自在に構成される。
【００２８】
第１ネジ５１３は、前後方向を長手方向するようにフレーム２の上枠２１の右端に設けられている。また、第１連結バー５１１の右端部には、前後方向に貫通したネジ孔５１５が形成されており、第１ネジ５１３は、第１連結バー５１１のネジ孔５１５に結合されている。
【００２９】
駆動部６は、モーター、減速機、クラッチなどを備えており、第１ネジ５１３を回転可能に構成されている。第１連結バー５１１と第１ネジ５１３とが結合しているので、第１ネジ５１３が回転することによって、第１ネジ５１３の回転方向に応じて第１連結バー５１１が前方向または後方向に移動する。図５において、第１連結バーの移動方向を実線矢印Ｙ１で示す。第１連結バー５１１が前後方向に移動することによって、第１連結バー５１１に固定された軸３２３（連結部３２）も前後方向に移動する。外羽板３１は剛性を有しており、連結部３２が前後方向に移動することによって、各外羽板３１の先端が第１レール５１２に沿って左右方向に移動する。図５において、外羽板３１の先端の移動方向を実線矢印Ｙ２で示す。外ルーバー３は、連結部３２が後方向に移動した場合、外羽板３１の先端同士が左右方向に離れるように変形し、連結部３２が前方向に移動した場合、外羽板３１の先端同士が左右方向に近づくように変形する。
【００３０】
一対の第１ストッパー５１４は、前後方向に移動する第１連結バー５１１の移動範囲を規制しており、第１連結バー５１１は、前後方向に離れて配置された一対の第１ストッパー５１４間を移動する。後側（図５における上側）の第１ストッパー５１４は、第１連結バー５１１が接触した場合に一対の外羽板３１の先端同士が左右方向に最も離れる、すなわち外羽板３１の第１傾斜角度θ１が略０度（図２Ａ〜図２Ｃ参照）となる位置に設けられている。このとき第１連結バー５１１と第１レール５１２が干渉しないように、互いの上下方向の位置が調整され、第１連結バー５１１に切り欠き等が適宜形成される。また、前側（図５における下側）の第１ストッパー５１４は、第１連結バー５１１が接触した場合に一対の外羽板３１の先端同士が左右方向に最も近づく、すなわち外羽板３１の第１傾斜角度θ１が略９０度（図３Ａ〜図３Ｃ参照）となる位置に設けられている。
【００３１】
このように、第１調整部５１は、駆動部６によって駆動されることで一対の外羽板３１の先端同士の距離が変化するように、一対の外羽板３１それぞれの第１傾斜角度θ１を調整する。
【００３２】
第２調整部５２は、第１調整部５１と同様の構成であり、第２連結バー５２１、第２レール５２２、第２ネジ５２３、一対の第２ストッパー５２４を備え、第１調整部５１に対して前後方向に対称となるように設けられる。なお、第２調整部５２は、第１調整部５１と同様の構成であるので、詳細な説明は省略する。第２調整部５２は、駆動部６によって駆動されることで内ルーバー４、端ルーバー４ａ，４ｂが有する内羽板４１それぞれの第２傾斜角度θ２を調整する。
【００３３】
このように、本実施形態の通風装置１が有する外ルーバー３および内ルーバー４は、折れ戸のように構成されており、調整機構５によって一対の外羽板３１の先端同士の距離、および一対の内羽板４１の先端同士の距離が変化するように開閉する。ここで、外羽板３１および内羽板４１の短手方向の寸法は、左右方向におけるフレーム２の開口寸法の略１／４倍に形成されている。したがって、図２Ａ〜図２Ｃに示すように、外羽板３１の第１傾斜角度θ１、内羽板４１の第２傾斜角度θ２が０度である場合、開口８が４つの外羽板３１および４つの内羽板４１で閉塞される。
【００３４】
上述したように、調整機構５が外ルーバー３、内ルーバー４、端ルーバー４ａ，４ｂを変形させることで、外羽板３１の第１傾斜角度θ１、内羽板４１の第２傾斜角度θ２が略０〜９０度の間で変化する。これにより、外ルーバー３および内ルーバー４が開口８を塞ぐ面積（外ルーバー３、内ルーバー４の前面投影面積）が増減する。本実施形態では、外羽板３１の第１傾斜角度θ１、内羽板４１の第２傾斜角度θ２が略０度であり、外ルーバー３および内ルーバー４が開口８を閉塞（全閉）している状態を閉モードという（図２Ａ〜図２Ｃ参照）。また、外羽板３１の第１傾斜角度θ１、内羽板４１の第２傾斜角度θ２が略９０度であり、外ルーバー３、内ルーバー４が開口８を全開している状態を開モードという（図３Ａ〜図３Ｃ参照）。
【００３５】
図２Ａ〜図２Ｃに示すように、閉モードでは、外羽板３１および内羽板４１が上下左右平面に対して略平行状態となる。図２Ｂに、空気の通過軌跡の一例を点線矢印Ｙ３、雨水の通過軌跡の一例を一点鎖線矢印Ｙ４で示す。閉モードでは、外ルーバー３および内ルーバー４によって開口８の全面が閉塞され、屋外側の空間と屋内側の空間とが遮断された状態であるので、空気および雨水が開口８を通過することを防止される。
【００３６】
そして、外羽板３１の第１傾斜角度θ１、内羽板４１の第２傾斜角度θ２が略０度から９０度に向かって増加することによって、外ルーバー３、内ルーバー４、端ルーバー４ａ，４ｂが開口８を塞ぐ面積が減少する。すなわち、外ルーバー３、内ルーバー４、端ルーバー４ａ，４ｂの前面投影面積が減少するので、通風量を増加させることができる。図３Ａ〜図３Ｃに示すように、開モードでは、外羽板３１および内羽板４１が前後上下平面と略平行状態となる。図３Ｂに、空気の通過軌跡の一例を点線矢印Ｙ３で示す。開モードでは、外ルーバー３、内ルーバー４、端ルーバー４ａ，４ｂが開口８を塞ぐ面積が最少となる。すなわち、外ルーバー３、内ルーバー４、端ルーバー４ａ，４ｂの前面投影面積が最小となり、外ルーバー３および内ルーバー４による通気抵抗も最小となる。このように、開モードでは、開口８が全開状態となるので、通風量を最も確保することができ採風に適した状態となる。
【００３７】
しかし、閉モードでは、外ルーバー３、内ルーバー４、端ルーバー４ａ，４ｂのいずれも存在しない直線状の経路が屋外と屋内との間に形成されるため、この経路を介して雨水が浸入するおそれがある。そこで、本実施形態の通風装置１は、開口８の一部を開放して通気経路を確保しつつ雨水の浸入を防止する通気防水モードを備える。
【００３８】
図１Ａ〜図１Ｃに示すように、通気防水モードでは、外羽板３１の第１傾斜角度θ１、内羽板４１の第２傾斜角度θ２が、閉モード時と開モード時との間の角度となっている。そして、開口８を介して屋外と屋内とを結ぶ任意の直線状の経路において、外羽板３１と内羽板４１との少なくとも一方が存在するように外羽板３１の一部と内羽板４１の一部とがオーバーラップしている。このオーバーラップについて、図６を用いて、内ルーバー４と、この内ルーバー４と左右方向に隣り合う外ルーバー３Ａ、外ルーバー３Ｂを代表例にして具体的に説明する。なお、図６は、図１ＡのＡ１−Ａ１断面図である。
【００３９】
ここで、内ルーバー４の左内羽板４１１の先端と、内ルーバー４に対して右側に隣り合う外ルーバー３Ｂの連結部３２（前側の頂部）とを結ぶ直線をＬ１とする。また、内ルーバー４の右内羽板４１２の先端と、内ルーバー４に対して左側に隣り合う外ルーバー３Ｂの連結部３２（前側の頂部）とを結ぶ直線をＬ２とする。そして、直線Ｌ１上に、内ルーバー４に対して左側に隣り合う外ルーバー３Ａの右外羽板３１２が存在する状態を、内ルーバー４の左内羽板４１１と外ルーバー３Ａの右外羽板３１２とのオーバーラップ状態という。同様に、直線Ｌ２上に、内ルーバー４に対して右側に隣り合う外ルーバー３Ｂの左外羽板３１１が存在する状態を、内ルーバー４の右内羽板４１２と外ルーバー３Ｂの左外羽板３１１とのオーバーラップ状態という。なお、ここでは、内ルーバー４の一対の内羽板４１と、外ルーバー３Ａの右外羽板３１２、外ルーバー３Ｂの左外羽板３１１との位置関係のみ説明したが、他の内羽板４１および外羽板３１についても同様の位置関係である。本実施形態では、外羽板３１の第１傾斜角度θ１、内羽板４１の第２傾斜角度θ２が０度よりも大きく、外羽板３１と内羽板４１とがオーバーラップする位置関係にある状態を通気防水モードという。
【００４０】
このように、通気防水モードでは、外羽板３１の一部と内羽板４１の一部とがオーバーラップすることによって、開口８を介して屋外と屋内とを結ぶ任意の直線状の経路のいずれにおいても、外羽板３１と内羽板４１との少なくとも一方が存在することとなる。図１Ｂに、空気の通過軌跡の一例を点線矢印Ｙ３、雨水の通過軌跡の一例を一点鎖線矢印Ｙ４で示す。屋外側から屋内に向かって直進する雨水は、外羽板３１または内羽板４１によって遮られるので、雨水の浸入を防止することができる（図１Ｂの点線矢印Ｙ３参照）。また、通気防水モードでは、外羽板３１と内羽板４１との間に隙間が形成されている。したがって、開口８を通過しようとする空気は、外ルーバー３Ａと外ルーバー３Ｂとの間を通過して内ルーバー４に遮られた後、外羽板３１と内羽板４１との隙間に迂回して屋内に進入する（図１Ｂの一点鎖線矢印Ｙ４参照）。すなわち、通気防水モードでは、通気経路を確保しつつ雨水の浸入を防止することができる。
【００４１】
また、本実施形態の通風装置１は、駆動部６を制御する制御部７を備えている（図５参照）。制御部７は、コントローラで構成されており、駆動部６のモーターを回転制御することで外羽板３１の第１傾斜角度θ１、内羽板４１の第２傾斜角度θ２を調整する。通風装置１は、制御部７を備えることによって、通風装置１の動作モード（閉モード、開モード、通気防水モード）を容易に切り替えることができる。
【００４２】
なお、外羽板３１の第１傾斜角度θ１、内羽板４１の第２傾斜角度θ２は、図１Ａ〜図１Ｃ、図２Ａ〜図２Ｃ、図３Ａ〜図３Ｃに示した角度に限定されず、連続的または段階的に調整することができ、通風量を細かく調整することができる。
【００４３】
上述したように、本実施形態の通風装置１は、外ルーバー３（第１ルーバー）と、内ルーバー４（第２ルーバー）と、調整機構５とを備える。外ルーバー３と内ルーバー４とは、前後方向（第１方向）において互いに離れて配置され、かつ前後方向と交差する左右方向（第２方向）において交互に配置される。
【００４４】
外ルーバー３は、連結部３２（第１頂部）と、左外羽板３１１（第１羽片）と、右外羽板３１２（第２羽片）とを有する。連結部３２は、前側（第１方向の一方側）に形成される。左外羽板３１１は、連結部３２に対して左側（第２方向の一方側）において後側（第１方向の他方側）に傾斜する。右外羽板３１２は、連結部３２に対して右側（第２方向の他方側）において後側に傾斜する。
【００４５】
内ルーバー４は、連結部４２（第２頂部）と、左内羽板４１１（第３羽片）と、右内羽板４１２（第４羽片）とを有する。連結部４２は、後側に形成される。左内羽板４１１は、連結部４２に対して左側において前側に傾斜する。右内羽板４１２は、連結部４２に対して右側において前側に傾斜する。
【００４６】
調整機構５は、左外羽板３１１および右外羽板３１２の第１傾斜角度θ１を調整する。さらに、調整機構５は、左内羽板４１１および右内羽板４１２の第２傾斜角度θ２を調整する。
【００４７】
本実施形態の通風装置１は、上記構成を備えることによって、外ルーバー３および内ルーバー４の前面投影面積、すなわち外ルーバー３および内ルーバー４が開口８を塞ぐ面積を増減させることができるので、通風量を調整することができる。さらに、外ルーバー３と内ルーバー４とが千鳥状（ジグザグ状）に配置されることで、雨水の浸入を防止することができる。
【００４８】
さらに、本実施形態の通風装置１は、左外羽板３１１および右外羽板３１２の第１傾斜角度θ１が特定範囲内である場合、外羽板３１と内羽板４１とがオーバーラップする。すなわち、内ルーバー４の左内羽板４１１の先端と、内ルーバー４に対して右側に隣り合う外ルーバー３Ｂの連結部３２とを結ぶ直線Ｌ１上に、内ルーバー４に対して左側に隣り合う外ルーバー３Ａの右外羽板３１２が存在する。また、内ルーバー４の右内羽板４１２の先端と、内ルーバー４に対して左側に隣り合う外ルーバー３Ａの連結部３２とを結ぶ直線Ｌ２上に、内ルーバー４に対して右側に隣り合う外ルーバー３Ｂの左外羽板３１１が存在する。
【００４９】
このように、本実施形態の通風装置１は、外羽板３１の一部と内羽板４１の一部とがオーバーラップする通気防水モードを備えており、開口８の一部を開放して通気経路を確保しつつ雨水の浸入をより確実に防止することができる。
【００５０】
さらに、本実施形態の通風装置１は、調整機構５を駆動する駆動部６を備える。これにより、外羽板３１の第１傾斜角度θ１、内羽板４１の第２傾斜角度θ２を容易に変化させることができるので、動作モード（閉モード、開モード、通気防水モード）を容易に切り替えることができる。
【００５１】
また、本実施形態の駆動部６は、１つのモーターを用いて第１ネジ５１３と第２ネジ５２３との両方を回転させることができるので、外羽板３１の第１傾斜角度θ１と内羽板４１の第２傾斜角度θ２が互いに同一となるように変化させることができる。さらに、駆動部６は、クラッチを備えており、モーターから第１ネジ５１３、第２ネジ５２３への動力伝達を遮断することができる。したがって、外ルーバー３と内ルーバー４との一方のみを変形させることも可能となり、通風量をより細かく調整することができる。
【００５２】
また、本実施形態の制御部７は、雨を検知する雨センサの検知結果、風速を計測する風速計の計測結果などが入力可能に構成されている。そして、制御部７は、雨センサの検知結果、風速計の計測結果に基づいて外羽板３１の第１傾斜角度θ１、内羽板４１の第２傾斜角度θ２を変化させる。例えば、制御部７は、通風装置１が開モード時に雨センサが降雨を検知した場合、外羽板３１の第１傾斜角度θ１、内羽板４１の第２傾斜角度θ２を減少させ通風装置１の動作モードを通気防水モードまたは閉モードとする。これにより、降雨時に開口８を介して雨水が浸入することを自動的に防止することができる。また、制御部７は、風速計の計測結果が閾値以上である場合、外羽板３１の第１傾斜角度θ１、内羽板４１の第２傾斜角度θ２を減少させて通風量を低減させる。これにより、開口８を介して屋内に強風が吹き込むことを防止することができる。
【００５３】
また、図７Ａに示すように、外羽板３１（左外羽板３１１、右外羽板３１２）は、屋外側（第１方向の一方側）の面における先端から突出して設けられた壁部３３を備える構成であってもよい。具体的には、壁部３３は、外羽板３１を屋外側に向かって曲げることで構成されており、外羽板３１の先端部は略Ｊ字状に形成される。外羽板３１は、壁部３３を備えることによって、外羽板３１の屋外側の面を伝い屋内側に向かって流れる雨水を壁部３３でせき止めることができる。すなわち、壁部３３は、外羽板３１を伝う雨水が屋内側に向かうことを防止する返しとして機能し、通気防水モード時の防水性を向上させることができる。なお、壁部３３は、外羽板３１と別体に構成されて外羽板３１に取り付けられる構成であってもよい。また、壁部３３は図７Ａに示す形状に限定されない。例えば、壁部３３は、外羽板３１を直角に折り曲げられ、外羽板３１の先端部が略Ｌ字状に形成されていてもよい。
【００５４】
また、図７Ｂに示すように、外羽板３１と同様に、内羽板４１（左内羽板４１１、右内羽板４１２）は、屋外側（第１方向の一方側）の面における先端から突出して設けられた壁部４３を備える構成であってもよい。なお、内羽板４１の壁部４３は、外羽板３１の壁部３３と同様の構成であるので、詳細な説明は省略する。壁部４３は、雨水をせき止める返しとして機能し、雨水が内羽板４１の屋外側の面を伝い屋内に浸入することを防止することができる。したがって、内羽板４１が壁部４３を備えることによって、通気防水モード時の防水性を向上させることができる。
【００５５】
また、上述した例では、外ルーバー３と内ルーバー４との両方が変形可能に構成されているが、一方のみが変形可能に構成され、他方が固定された構成でもよい。例えば、外ルーバー３の外羽板３１の第１傾斜角度θ１が通気防水モード時の状態で固定され、内ルーバー４の内羽板４１の第２傾斜角度θ２のみを変化可能に構成されていてもよい。このように構成した場合であっても、内ルーバー４のみが変形することで、内ルーバー４が開口８を塞ぐ面積を増減させ開口８を通過する空気の量を調整することができる。さらに、外ルーバー３と内ルーバー４との一方のみを変形可能に構成することによって、通風装置１の構成を簡略化することができる。
【００５６】
また上述した例では、一対の外羽板３１それぞれの第１傾斜角度θ１、および一対の内羽板４１それぞれの第２傾斜角度θ２が同じとなるように構成されているが、この構成に限定しない。一対の外羽板３１それぞれの第１傾斜角度θ１が互いに異なるように構成され、一対の内羽板４１それぞれの第２傾斜角度θ２が互いに異なるように構成されていてもよい。このように構成することによって、通風量をより細かく調整することができる。
【００５７】
また、本実施形態の通風装置１は、２つの外ルーバー３と、１つの内ルーバー４を備えているが、外ルーバー３および内ルーバー４の数は上記に限定されず、開口８の寸法に応じて適宜設定される。また、本実施形態の通風装置１は、内ルーバー４の左右両側に端ルーバー４ａ，４ｂが設けられた配置構成であるが、外ルーバー３の左右両側に端ルーバーが設けられた配置構成であってもよい。
【００５８】
また、本実施形態では、駆動部６を用いて調整機構５を駆動させ、外羽板３１の第１傾斜角度θ１、内羽板４１の第２傾斜角度θ２を調整しているが、この構成に限定しない。例えば、調整機構５は、第１連結バー５１１、第２連結バー５２１を移動させるレバーなどを備え、ユーザーがこのレバーを操作することで、外羽板３１の第１傾斜角度θ１、内羽板４１の第２傾斜角度θ２を手動で調整可能に構成されていてもよい。
【００５９】
また、本実施形態では、左右方向において外ルーバー３と内ルーバー４とが交互に配置され、上下方向を長手方向とする外羽板３１、内羽板４１の先端が左右方向に移動するように構成されているが、通風装置の設置方向はこの方向に限定されない。例えば、上下方向において外ルーバー３と内ルーバー４とが交互に配置され、左右方向を長手方向とする外羽板３１、内羽板４１の先端が上下方向に移動するように構成されていてもよい。
【００６０】
また、上述した例では、外ルーバー３が一対の外羽板３１を有し、内ルーバー４が一対の内羽板４１を有する構成であるが、これに限定しない。例えば、外ルーバおよび内ルーバー４は、一対の羽板を一体化した１枚の板部材で構成され、この板部材の左右両端間の距離が変化するように撓むように構成されていてもよい。
【００６１】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６２】
１  通風装置
３  外ルーバー（第１ルーバー）
３１  外羽板
３１１  左外羽板（第１羽片）
３１２  右外羽板（第２羽片）
３２  連結部（第１頂部）
４  内ルーバー（第２ルーバー）
４１  内羽板
４１１  左内羽板（第３羽片）
４１２  右内羽板（第４羽片）
４２  連結部（第２頂部）
５  調整機構
６  駆動部
【図１】
2016156180.tif 000003
【図２】
2016156180.tif 000004
【図３】
2016156180.tif 000005
【図４】
2016156180.tif 000006
【図５】
2016156180.tif 000007
【図６】
2016156180.tif 000008
【図７】
2016156180.tif 000009